(57)【要約】【課題】接続された電線に引っ張り荷重がかかった場合でも鎖錠ばねの鎖錠片の変形を防止することができる速結端子を提供する。【解決手段】電線４を挿入する電線挿入口２ａが設けられたケース２と、電線挿入口２ａの内部に配設された端子板３と、電線挿入口２ａから挿入された電線４に先端が食い込んで鎖錠する鎖錠片５ａと電線４を端子板３に圧接して電気的に接続する圧接片５ｂとを有する鎖錠ばね５と、鎖錠ばね５の鎖錠片５ａを押圧して電線４の鎖錠を解除する解除釦６とを備えた速結端子１において、解除釦６は鎖錠ばね５の鎖錠片５ａと平行な押圧面６ａを形成し、押圧面６ａが鎖錠片５ａと面接触するように配置し、解除釦６を付勢ばね７で鎖錠ばね５の鎖錠片５ａに圧接付勢する。【選択図】図１
2006286375.tif 000002
【特許請求の範囲】
【請求項１】
電線を挿入する電線挿入口が設けられたケースと、前記電線挿入口の内部に配設された端子板と、前記電線挿入口から挿入された電線に先端が食い込んで鎖錠する鎖錠片と前記電線を前記端子板に圧接して電気的に接続する圧接片とを有する鎖錠ばねと、前記鎖錠ばねの鎖錠片を押圧して前記電線の鎖錠を解除する解除釦とを備えた速結端子において、前記解除釦は前記鎖錠ばねの鎖錠片と面接触するようにしたことを特徴とする速結端子。
【請求項２】
前記解除釦を前記鎖錠ばねの鎖錠片に圧接付勢する付勢ばねを設けたことを特徴とする請求項１に記載の速結端子。
【発明の詳細な説明】
【技術分野】
【０００１】
本発明は、配線器具やブレーカなどに備えられ、ねじを使用せずに電線を接続する速結端子に関する。
【背景技術】
【０００２】
従来、図４〜図６に示すように速結端子２１は電線２４を挿入する電線挿入口２２ａが設けられたケース２２と、電線挿入口２２ａの内部に配設された端子板２３と、電線挿入口２２ａから挿入された電線２４を鎖錠するとともに端子板２３に電気的に接続する鎖錠ばね２５と、鎖錠ばね２５による電線２４の鎖錠を解除する解除釦２６とを備えている。鎖錠ばね２５は弾性を有する板材の一端を鋭角に折曲して鎖錠片２５ａを形成し、他端を略Ｓ字状に折曲して圧接片２５ｂを形成しており、電線挿入口２２ａから挿入された電線２４に鎖錠片２５ａの先端が食い込んで鎖錠し、圧接片２５ｂが電線２４を端子板２３に圧接することにより接続するようになっている。また、電線２４を抜き取るにはマイナスドライバーなどの治具２８を治具挿入口２２ｂに挿入して解除釦２６を押圧し、解除釦２６が鎖錠ばね２５の鎖錠片２５ａを端子板２３から離れる方向に押圧することにより鎖錠が解除して電線２４を抜き取るようになっていた（例えば、特許文献１参照。）。
【０００３】
【特許文献１】特開２００３−３４６９３３号公報（第１図）
【発明の開示】
【発明が解決しようとする課題】
【０００４】
しかしながら、従来の速結端子は鎖錠ばねの鎖錠片と接触する解除釦の先端が角状になっており、鎖錠ばねの鎖錠片と線で接触するので電線の接続確認のために電線を引っ張ったり、電線の鎖錠が完全に解除していない状態で引き抜こうとした際に解除釦の接触部を支点として鎖錠ばねの鎖錠片が変形する虞があった。
【課題を解決するための手段】
【０００５】
本発明は、請求項１に記載の発明によれば、電線を挿入する電線挿入口が設けられたケースと、電線挿入口の内部に配設された端子板と、電線挿入口から挿入された電線に先端が食い込んで鎖錠する鎖錠片と電線を端子板に圧接して電気的に接続する圧接片とを有する鎖錠ばねと、鎖錠ばねの鎖錠片を押圧して電線の鎖錠を解除する解除釦とを備えた速結端子において、解除釦は鎖錠ばねの鎖錠片と面接触するようにしたことを特徴とする。
【０００６】
請求項２に記載の発明によれば、請求項１に記載の速結端子において、解除釦を鎖錠ばねの鎖錠片に圧接付勢する付勢ばねを設けたことを特徴とする。
【発明の効果】
【０００７】
請求項１に記載の発明によれば、接続された電線に引っ張り荷重がかかった場合でも鎖錠ばねの鎖錠片の変形を防止することができるという効果がある。
【０００８】
請求項２に記載の発明によれば、請求項１に記載の発明の効果に加えて、解除釦が鎖錠ばねの鎖錠片の変動に追従にして常時面接触を可能にするという効果がある。
【発明を実施するための最良の形態】
【０００９】
電線を挿入する電線挿入口が設けられたケースと、電線挿入口の内部に配設された端子板と、電線挿入口から挿入された電線に先端が食い込んで鎖錠する鎖錠片と電線を端子板に圧接して電気的に接続する圧接片とを有する鎖錠ばねと、鎖錠ばねの鎖錠片を押圧して電線の鎖錠を解除する解除釦とを備えた速結端子において、解除釦は鎖錠ばねの鎖錠片と平行な押圧面を形成し、押圧面が鎖錠片と面接触するように配置し、解除釦を付勢ばねで鎖錠ばねの鎖錠片に圧接付勢する。
【実施例１】
【００１０】
本発明に係る速結端子の実施例１を図１〜図３の添付図面に基づいて説明する。
【００１１】
速結端子１は、ケース２と、ケース２の内部に配設された端子板３と、電線４を抜けないように鎖錠するとともに端子板３に電気的に接続する鎖錠ばね５と、鎖錠ばね５による電線４の鎖錠を解除する解除釦６と、解除釦６を鎖錠ばね５に圧接付勢する付勢ばね７とを備えている。
【００１２】
ケース２は絶縁材料から成り、電線４を挿入する電線挿入口２ａと治具８を挿入する治具挿入口２ｂが形成され、導電材料から成る端子板３が電線接触面３ａを電線挿入方向と平行にして電線挿入口２ａの内側に設けられている。
【００１３】
鎖錠ばね５は弾性を有する板材の一端を鋭角に折曲形成した鎖錠片５ａと、他端を略Ｓ字状に折曲形成した圧接片５ｂとを有し、端子板３の電線接触面３ａと対向して配置され、解除釦６は鎖錠ばね５の鎖錠片５ａと平行な押圧面６ａが形成され、電線未接続時に押圧面６ａが鎖錠片５ａの先端から中間部にかけて面接触するように配置され、付勢ばね７は一端を解除釦６の凹部６ｂに係止し、他端をケース２の内部に係止して解除釦６が鎖錠片５ａに圧接するように付勢している。
【００１４】
このように構成された速結端子１に電線４を接続するには、電線４を電線挿入口２ａに挿入するだけであり、電線挿入口２ａに挿入された電線４は鎖錠片５ａの先端が食い込んで鎖錠され、圧接片５ｂが電線４を端子板３に圧接して電気的に接続される。電線４の挿入により鎖錠片５ａが変動しても付勢ばね７の付勢により解除釦６は鎖錠片５ａの変動に追従して常時面接触状態を保持するようになっている。
【００１５】
また、速結端子１から電線４を抜き取るにはマイナスドライバーなどの治具８を治具挿入口２ｂに挿入して解除釦６を押圧することにより行う。治具８により解除釦６を押圧すると押圧面６ａが鎖錠ばね５の鎖錠片５ａを押圧して端子板３から離れる方向に撓み、鎖錠が解除するので電線４を抜き取ることができる。
【００１６】
速結端子１は、電線４の接続を確認するために電線４を引っ張ったり、或いは電線４の抜き取り時に鎖錠が完全に解除していない状態で引き抜こうとした場合でも鎖錠ばね５の鎖錠片５ａが解除釦６の押圧面６ａと常時面接触しているので鎖錠片５ａは変形することがない。
【００１７】
尚、本実施例において解除釦は治具の操作により動作する構造であったが、解除釦の操作構造について限定はなく、ケースから突出して手動で操作できる構造であっても良い。
【図面の簡単な説明】
【００１８】
【図１】本発明の速結端子を示す断面図である。
【図２】本発明の速結端子に電線を接続した状態を示す断面図である。
【図３】本発明の速結端子に接続した電線を抜き取る様子を示す断面図である。
【図４】従来の速結端子を示す断面図である。
【図５】従来の速結端子に電線を接続した状態を示す断面図である。
【図６】従来の速結端子に接続した電線を抜き取る様子を示す断面図である。
【符号の説明】
【００１９】
１    速結端子
２    ケース
３    端子板
５    鎖錠ばね
５ａ    鎖錠片
６    解除釦
６ａ    押圧面
７    付勢ばね
【図１】
2006286375.tif 000003
【図２】
2006286375.tif 000004
【図３】
2006286375.tif 000005
【図４】
2006286375.tif 000006
【図５】
2006286375.tif 000007
【図６】
2006286375.tif 000008